(57)【要約】【課題】  密着性を高めることができる蓋体（取付体）を提供する。【解決手段】  蓋体２ａは、ネジ部材４によって、ボックス本体１に締め付けられる締付部２ｂと、その締付部２ｂがボックス本体１に締め付けられる締付方向を向いてボックス本体１の被当接面１ｂに当接する当接面２ｃとを備える。ここで、当接面２ｃは、蓋体２ａをボックス本体１に配置して締付部２ｂをボックス本体１に締め付ける前の第１状態で被当接面１ｂに当接する第１当接部２ｄと、締付部２ｂの近傍に位置して前記第１状態では被当接面１ｂに当接しない第２当接部２ｅとを有する。そして、締付部２ｂをボックス本体１に締め付けた第２状態で、蓋体２ａ自身の撓み変形により、前記第２当接部２ｅが前記被当接面１ｂに当接し、前記当接面２ｃは、そのほぼ全体（全体を含む）に渡って被当接面１ｂに密着する。【選択図】  図１
2006105335.tif 000002
【特許請求の範囲】
【請求項１】
被取付物に取り付けられる取付体であって、
前記被取付物に締め付けられる少なくとも一つの締付部と、その締付部が前記被取付物に締め付けられる締付方向を向いて前記被取付物の被当接面に当接する当接面とを備え、
前記当接面は、前記取付体を前記被取付物に配置して前記締付部を前記被取付物に締め付ける前の第１状態で前記被当接面に当接する第１当接部と、前記締付部の近傍に位置して前記第１状態では前記被当接面に当接しないまたは前記第１当接部よりも当たりが弱く当接する第２当接部とを有し、
前記締付部を前記被取付物に締め付けた第２状態で、前記取付体自身の撓み変形により、前記当接面は、前記第２当接部を含めて、そのほぼ全体（全体を含む）に渡って前記被当接面に密着することを特徴とする取付体。
【請求項２】
前記取付体は、前記第１当接部と前記第２当接部を形成するように反って形成され、前記第１状態から前記第２状態に移る前記撓み変形により、前記取付体の反りが解消されることを特徴とする請求項１に記載の取付体。
【請求項３】
前記被取付物は、開口を有するボックス本体であって、前記被当接面は、そのボックス本体の開口を囲むように形成され、
前記取付体は、前記ボックス本体の開口を閉塞するようにそのボックス本体に取り付けられる蓋体からなることを特徴とする請求項１または２に記載の取付体。
【請求項４】
前記被取付物は、開口を有するボックス本体であって、前記被当接面は、そのボックス本体の開口を囲むように形成され、
前記取付体は、前記ボックス本体の開口を囲むようにそのボックス本体に取り付けられる枠体からなることを特徴とする請求項１または２に記載の取付体。
【請求項５】
請求項３に記載の取付体と、前記ボックス本体とを備えるボックスであって、
前記取付体は、略方形形状をしており、その四隅部分が前記締付部となり、ネジ部材が、前記締付部に明けられた通孔に挿通されて前記ボックス本体に設けられた雌ねじ部にねじ込まれることで、前記締付部は、前記ボックス本体に締め付けられることを特徴とするボックス。
【請求項６】
前記ボックス本体には、パッキンが設けられ、そのパッキンの、前記取付体側の面が、前記被当接面となっていることを特徴とする請求項５に記載のボックス。
【請求項７】
前記取付体には、パッキンが設けられ、そのパッキンの、前記ボックス本体側の面が、前記当接面となっていることを特徴とする請求項５に記載のボックス。
【請求項８】
前記ボックスは、配線ボックスからなることを特徴とする請求項５ないし７のいずれか１項に記載のボックス。
【発明の詳細な説明】
【技術分野】
【０００１】
この発明は、密着性を高めることができる取付体およびボックスに関するものである。
【背景技術】
【０００２】
従来、例えば、電気配線を内部で結線する配線ボックス、特に屋外で使用される配線ボックスにおいては、防水・防塵機能が要求された。そこで、ボックス本体と蓋との間にパッキンを介在させることが一般に行なわれていた。
【０００３】
また、このパッキンを省略しても防水・防塵機能を維持できるようにした、電子ユニットの収容ボックスもあった（例えば、特許文献１参照）。この収容ボックスは、ボックス本体の開口部の外周に凹部を形成し、蓋に、前記凹部と嵌合する凸部を形成したものであった。
【０００４】
【特許文献１】特開２００２−１６３７３号公報
【発明の開示】
【発明が解決しようとする課題】
【０００５】
ところで、前記従来の配線ボックスとか収容ボックスにあっては、ボックス本体への蓋の取り付けにあたって、ボックス本体に蓋を締め付けると、その締付箇所は、強く締め付けられるものの、その締め付けの反動で、締付箇所から離れた部分がボックス本体から浮き上がるように、蓋が反ることがあった。そのため、それらボックス本体と蓋との密着性が悪く、防水・防塵機能が損なわれる虞があった。
【０００６】
この発明は、上記した従来の欠点を解決するためになされたものであり、その目的とするところは、密着性を高めることができる、取付体およびボックスを提供することにある。
【課題を解決するための手段】
【０００７】
この発明に係る取付体およびボックスは、前記目的を達成するために、次の構成からなる。すなわち、
請求項１に記載の発明に係る取付体は、被取付物に取り付けられる取付体である。この取付体は、前記被取付物に締め付けられる少なくとも一つの締付部と、その締付部が前記被取付物に締め付けられる締付方向を向いて前記被取付物の被当接面に当接する当接面とを備える。ここで、前記当接面は、前記取付体を前記被取付物に配置して前記締付部を前記被取付物に締め付ける前の第１状態で前記被当接面に当接する第１当接部と、前記締付部の近傍に位置して前記第１状態では前記被当接面に当接しないまたは前記第１当接部よりも当たりが弱く当接する第２当接部とを有する。そして、前記締付部を前記被取付物に締め付けた第２状態で、前記取付体自身の撓み変形により、前記当接面は、前記第２当接部を含めて、そのほぼ全体（全体を含む）に渡って前記被当接面に密着する。
【０００８】
このように、締付部を被取付物に締め付ける前の第１状態で、被当接面に当接する第１当接部と、締付部の近傍に、被当接面に当接しないまたは第１当接部よりも当たりが弱く当接する第２当接部を設けることで、締付部を被取付物に締め付けた第２状態で、取付体自身の撓み変形により、当接面を第１当接部から第２当接部まで被当接面にむらなく密着させることができる。
【０００９】
また、請求項２に記載の発明に係る取付体のように、請求項１に記載の取付体において、前記取付体は、前記第１当接部と前記第２当接部を形成するように反って形成され、前記第１状態から前記第２状態に移る前記撓み変形により、前記取付体の反りが解消されてもよい。このように、取付体を予め、第１当接部と第２当接部を形成するように反って形成することで、締付部を被取付物に締め付けた第２状態では、取付体の反りを解消することができ、見栄えが良い。
【００１０】
また、請求項３に記載の発明に係る取付体のように、請求項１または２に記載の取付体において、前記被取付物は、開口を有するボックス本体であって、前記被当接面は、そのボックス本体の開口を囲むように形成され、前記取付体は、前記ボックス本体の開口を閉塞するようにそのボックス本体に取り付けられる蓋体からなってもよい。
【００１１】
また、請求項４に記載の発明に係る取付体のように、請求項１または２に記載の取付体において、前記被取付物は、開口を有するボックス本体であって、前記被当接面は、そのボックス本体の開口を囲むように形成され、前記取付体は、前記ボックス本体の開口を囲むようにそのボックス本体に取り付けられる枠体からなってもよい。
【００１２】
また、請求項５に記載の発明に係るボックスは、請求項３に記載の取付体と、前記ボックス本体とを備える。ここで、前記取付体は、略方形形状をしており、その四隅部分が前記締付部となっている。そして、ネジ部材が、前記締付部に明けられた通孔に挿通されて前記ボックス本体に設けられた雌ねじ部にねじ込まれることで、前記締付部は、前記ボックス本体に締め付けられる。
【００１３】
また、請求項６に記載の発明に係るボックスのように、請求項５に記載のボックスにおいて、前記ボックス本体には、パッキンが設けられ、そのパッキンの、前記取付体側の面が、前記被当接面となってもよい。
【００１４】
また、請求項７に記載の発明に係るボックスのように、請求項５に記載のボックスにおいて、前記取付体には、パッキンが設けられ、そのパッキンの、前記ボックス本体側の面が、前記当接面となってもよい。
【００１５】
また、請求項８に記載の発明に係るボックスのように、請求項５ないし７のいずれか１項に記載のボックスにおいて、前記ボックスは、配線ボックスからなってもよい。
【発明の効果】
【００１６】
この発明に係る取付体によれば、締付部を被取付物に締め付けることで、取付体自身が撓み変形して、当接面を第１当接部から第２当接部まで被当接面にむらなく密着させることができるため、被取付物と取付体との密着性を高めることができる。
【００１７】
また、この発明に係るボックスによれば、締付部をボックス本体に締め付けることで、蓋体からなる取付体自身が撓み変形して、当接面を第１当接部から第２当接部まで被当接面にむらなく密着させることができるため、ボックス本体と取付体との密着性を高めることができる。
【発明を実施するための最良の形態】
【００１８】
以下、この発明に係る取付体およびボックスを実施するための最良の形態を図面に基づいて説明する。
【００１９】
図１ないし図３は、本発明の一実施の形態を示す。図中符号１は、被取付物としての、開口１ａを有するボックス本体である。２は、前記被取付物としてのボックス本体１に取り付けられる取付体２である。この取付体２は、ボックス本体１の開口１ａを閉塞するようにそのボックス本体１に取り付けられる蓋体２ａからなる。３は、ボックスであって、前記蓋体２ａからなる取付体２と、前記ボックス本体１とを備える。
【００２０】
ここで、ボックス本体１は、そのボックス本体１の開口１ａを囲むように形成された被当接面１ｂを備えている。一方、蓋体２ａは、ボックス本体１に締め付けられる少なくとも一つの締付部２ｂと、その締付部２ｂがボックス本体１に締め付けられる締付方向を向いてボックス本体１の被当接面１ｂに当接する当接面２ｃを備えている。そして、当接面２ｃは、蓋体２ａをボックス本体１に配置して前記締付部２ｂをボックス本体１に締め付ける前の第１状態で、ボックス本体１の被当接面１ｂに当接する第１当接部２ｄと、締付部２ｂの近傍に位置して前記第１状態では被当接面１ｂに当接しない第２当接部２ｅとを有する（図１、図２参照）。そこで、締付部２ｂをボックス本体１に締め付けた第２状態で、蓋体２ａ自身の撓み変形により、前記第２当接部２ｅがボックス本体１の被当接面１ｂに当接し、蓋体２ａの当接面２ｃが、第２当接部２ｅを含めて、そのほぼ全体（全体を含む）に渡って被当接面１ｂに密着する（図３参照）。
【００２１】
具体的には、ボックス本体１と蓋体２ａとを備えるボックス３は、例えば、配線ボックスからなる。ここで、ボックス本体１は、側壁１ｃと底壁１ｄとを有する略直方体形状をしている。このボックス本体１は、上方が開放することで、その上方に、前記開口１ａが形成されている。そして、ボックス本体１における側壁１ｃの上端面が、前記被当接面１ｂとなっている。また、ボックス本体１の上面におけるコーナー部分であって、被当接面１ｂの内側（図示実施の形態においては、４箇所）には、雌ねじ部１ｆが設けられている。
【００２２】
蓋体２ａは、略方形形状、特に略方形板状形状をしている。この蓋体２ａは、その全周に、下方に突出する枠片２ｆが設けられており、その枠片２ｆの下面が、前記当接面２ｃとなっている。そして、蓋体２ａは、その四隅部分が前記締付部２ｂとなっている。そこで、この締付部２ｂに、前記雌ねじ部１ｆと対応するように、通孔２ｇが明けられている。つまり、締付部２ｂをボックス本体１に締め付けるにあたっては、ネジ部材４が用いられ、このネジ部材４が、蓋体２ａの通孔２ｇに挿通され、ボックス本体１の雌ねじ部１ｆにねじ込まれる。また、蓋体２ａの当接面２ｃにおいては、蓋体２ａの各辺における中央部分が、前記第１当接部２ｄとなり、蓋体２ａの各辺における端部部分、すなわち蓋体２ａのコーナー部分が、前記第２当接部２ｅとなっている。つまり、締付部２ｂから離れて位置するのが第１当接部２ｄであるのに対し、第２当接部２ｅは、締付部２ｂの近傍に位置している。そして、この蓋体２ａは、前記第１当接部２ｄと前記第２当接部２ｅを形成するように反って形成され、前記第１状態（図１、図２参照）から前記第２状態（図３参照）に移る撓み変形により、蓋体２ａの反りが解消されるようになっている。つまり、図示実施の形態においては、蓋体２ａは、その各辺において下方に凸となるように、反って形成されているが、ネジ部材４を雌ねじ部１ｆにねじ込むことで、撓み変形して平板形状となる。すなわち、蓋体２ａの表面（上面）と、当接面２ｃ、つまりは被当接面１ｂとは、平行となる。
【００２３】
また、ネジ部材４は、雄ねじ部４ａと、径大に形成された頭部４ｂと、それら雄ねじ部４ａと頭部４ｂとを繋ぐとともに雄ねじ部４ａの外径よりも径小に形成された首部４ｃとからなる。そして、蓋体２ａにおける通孔２ｇの内径は、ネジ部材４における雄ねじ部４ａの外径よりも小さく、首部４ｃの径よりも大きく形成されている。こうして、ネジ部材４は、蓋体２ａの通孔２ｇに、雄ねじ部４ａを通過して首部４ｃまで、強制的に、あるいはねじ込まれるようにして挿通されると、蓋体２ａから容易には外れなくなる。このように、ネジ部材４が蓋体２ａに予め組み付けられることで、ボックス本体１の雌ねじ部１ｆへのネジ部材４のねじ込みを容易に行なうことができる。また、図示実施の形態においては、雄ねじ部４ａの長さは、ネジ部材４の挿通部分における、ボックス本体１と蓋体２ａとの間の空隙寸法ｕ以下となっており、ボックス本体１の雌ねじ部１ｆに対するネジ部材４のねじ込み前、あるいは取り外し後に、雄ねじ部４ａが、前記空隙寸法ｕ内に収まり、このネジ部材４を用いたボックス本体１への蓋体２ａの組み付けや取り外しを簡単に行なうことができる。
【００２４】
なお、反って形成される蓋体２ａの製造方法としては、蓋体２ａが、合成樹脂製等の成形品である場合には、反った状態に合わせた金型を用いてもよいが、金型の温度設定等の成形条件により収縮量を調整することで、反った上体の蓋体２ａを成形するようにしてもよい。また、蓋体２ａの成形におけるゲート位置は、蓋体２ａの中心に設けるのがよい。
【００２５】
次に、以上の構成からなるボックス３の作用効果について説明する。このボックス３によると、蓋体２ａの締付部２ｂをボックス本体１に締め付ける前の第１状態で（図１、図２参照）、すなわちネジ部材４によるねじ締め前の状態で、蓋体２ａに、ボックス本体１の被当接面１ｂに当接する第１当接部２ｄと、締付部２ｂの近傍に、被当接面１ｂに当接しない第２当接部２ｅを設けることで、締付部２ｂをボックス本体１に締め付けた第２状態で（図３参照）、すなわちネジ部材４によるねじ締め後の状態で、蓋体２ａ自身の撓み変形により、第２当接部２ｅを被当接面１ｂに当接させて、当接面２ｃを第１当接部から第２当接部まで被当接面１ｂにむらなく密着させることができる。したがって、ボックス本体１と蓋体２ａとの密着性を高めることができる。特に、当接面２ｃや被当接面１ｂの形状を適宜調整することで、当接面２ｃが、被当接面１ｂのほぼ全体をほぼ均一に押圧するように設定することも可能である。
【００２６】
しかも、蓋体２ａの締付部２ｂをボックス本体１に締め付けた第２状態では、蓋体２ａが撓み変形しているため、その蓋体２ａが元に戻ろうとする力が、ネジ部材４をその抜け方向に付勢する。こうして、ネジ部材４は、抜け方向に付勢されるため、ネジ部材４のがたつきが生ずることなく、そのネジ部材４の緩みを防ぐことができる。
【００２７】
また、蓋体２ａの当接面２ｃにおける第１当接部２ｄと第２当接部２ｅとを形成するにあたり、蓋体２ａを予め、第１当接部２ｄと第２当接部２ｅを形成するように反って形成することで、締付部２ｂをボックス本体１に締め付けた第２状態では、蓋体２ａの反りを解消することができ、見栄えが良い。
【００２８】
なお、本発明は、上述した実施の形態に限定されるわけではなく、その他種々の変更が可能である。例えば、図４ないし図９に示すように、ボックス本体１には、パッキン５が設けられ、そのパッキン５の、蓋体２ａ側の面が、前記被当接面１ｂとなっていてもよい。図示実施の形態においては、ボックス本体１は、本体部６と、その本体部６に嵌め合わされる枠部７とからなり、それらが接着等により接合されている。そして、枠部７には、パッキン５が収容される溝７ａが、枠部７の上部外壁面７ｂに沿って巡るように設けられている。また、蓋体２ａの下面には、前記パッキン５に対向位置する突条２ｈが設けられており、その突条２ｈの先端面が、前記当接面２ｃとなっている。
【００２９】
また、反対に、図１０および図１１に示すように、蓋体２ａには、パッキン８が設けられ、そのパッキン８の、ボックス本体１側の面が、前記当接面２ｃとなっていてもよい。図示実施の形態においては、パッキン８は、蓋体２ａの裏面に接着等により固定されており、そのパッキン８の下面が、前記当接面２ｃとなっている。
【００３０】
また、蓋体２ａの反りの形状は、締付部２ｂの位置に応じて、例えば図１２ないし図１４に示すように、ネジ部材４が挿通される通孔２ｇの位置に応じて、適宜形成される。
【００３１】
また、蓋体２ａは、反って形成されなくとも、表面（例えば、上面）とは反対側の当接面２ｃが、湾曲あるいは屈曲して形成されていれば、表面は、平面状に形成されてもよい。そして、この場合には、締付後の第２状態では、蓋体２ａが撓むことで、当接面２ｃがボックス本体１の被当接面１ｂに密着し、その結果、蓋体２ａの表面が湾曲あるいは屈曲することとなる。
【００３２】
さらには、蓋体２ａの当接面２ｃに、第１当接部２ｄと第２当接部２ｅとを設けるにあたって、その当接面２ｃを湾曲あるいは屈曲形成しなくとも、ボックス本体１の被当接面１ｂを湾曲あるいは屈曲して形成してもよい。
【００３３】
また、蓋体２ａの第２当接部２ｅは、第１状態では、ボックス本体１の被当接面１ｂに当接しないが、その他に、第２当接部２ｅは、この第１状態で、被当接面１ｂに、第１当接部２ｄよりも当たりが弱く当接するものであってもよい。このようなことは、特に、前述のようなパッキン５、８が設けられた場合であって、そのパッキン５、８が比較的柔らかい場合等に想定されるものである。
【００３４】
また、図示しないが、取付体２は、蓋体２ａからならなくとも、被取付物としてのボックス本体１の開口１ａを囲むようにそのボックス本体１に取り付けられる枠体からなっていてもよい。
【００３５】
さらに、取付体２は、蓋体２ａや枠体からならなくとも、被取付物としての、例えば壁面に取り付けられる積算電力計取付板等の各種の取付板であってもよく、本発明の趣旨を逸脱しない範囲で被取付物に取り付けられるものであればどのようなものでもよい。
【００３６】
また、蓋体２ａ（取付体２）の締付部２ｂをボックス本体１（被取付物）に締め付けるにあたって、ネジ部材４を用いなくとも、例えばトグル機構等を利用したチャック構造等、その他の締付部材あるいは締付手段を用いても構わない。
【００３７】
また、ボックス本体１（被取付物）と蓋体２ａ（取付体２）とは、分離可能であってもよいが、ヒンジ等の連結部により開閉可能に連結されていてもよい。
【図面の簡単な説明】
【００３８】
【図１】この発明の一実施の形態の、締付前の（第１状態での）、斜視図である。
【図２】同じく、締付前の（第１状態での）、一部を破断した正面図である。
【図３】同じく、締付後の（第２状態での）、一部を破断した正面図である。
【図４】この発明の他の実施の形態の、ボックス本体の平面図である。
【図５】同じく、図４におけるＡ−Ａ線による拡大断面図である。
【図６】同じく、蓋体の底面図である。
【図７】同じく、締付前の（第１状態での）、一部を破断した正面図である。
【図８】同じく、締付後の（第２状態での）、一部を破断した正面図である。
【図９】同じく、締付後の（第２状態での）、図５相当図である。
【図１０】この発明のさらに他の実施の形態の、締付前の（第１状態での）、正面図である。
【図１１】同じく、締付後の（第２状態での）、一部を破断した正面図である。
【図１２】この発明の第１の変形例を示す、締付前の（第１状態での）、斜視図である。
【図１３】この発明の第２の変形例を示す、締付前の（第１状態での）、斜視図である。
【図１４】この発明の第３の変形例を示す、締付前の（第１状態での）、斜視図である。
【符号の説明】
【００３９】
１  ボックス本体（被取付物）
１ａ  開口
１ｂ  被当接面
１ｆ  雌ねじ部
２  取付体
２ａ  蓋体
２ｂ  締付部
２ｃ  当接面
２ｄ  第１当接部
２ｅ  第２当接部
２ｇ  通孔
３  ボックス
４  ネジ部材
５  パッキン
８  パッキン
【図１】
2006105335.tif 000003
【図２】
2006105335.tif 000004
【図３】
2006105335.tif 000005
【図４】
2006105335.tif 000006
【図５】
2006105335.tif 000007
【図６】
2006105335.tif 000008
【図７】
2006105335.tif 000009
【図８】
2006105335.tif 000010
【図９】
2006105335.tif 000011
【図１０】
2006105335.tif 000012
【図１１】
2006105335.tif 000013
【図１２】
2006105335.tif 000014
【図１３】
2006105335.tif 000015
【図１４】
2006105335.tif 000016